(57)【要約】【課題】装着が容易で、引き上げ効果の良好な美容用マスク。【解決手段】ポリエステルを含有し伸縮性を有するシート状基材からなり、口の周り及び頬を覆い、口角及び頬を耳に向かって引張する第一の引張体２０と、第一の引張体２０の下部に、下顎を覆い下顎を顎先から耳に向かって引張する第二の引張体４０とを設け、前記第一の引張体２０には一対の第一の耳掛け部３０を設け、前記第二の引張体４０には一対の第二の耳掛け部５０を設け、前記第一の引張体２０と前記第二の引張体４０との間には、両側端から中心に向かう切込み部６０を設ける。【選択図】図１
2010259621.tif 000002
【特許請求の範囲】
【請求項１】
伸縮性を有するシート状基材からなり、口の周り及び頬を覆い、口角及び頬を耳に向かって引張する第一の引張体と、第一の引張体の下部に設けられ、下顎を覆い、下顎を顎先から耳に向かって引張する第二の引張体とを有し、
前記シート状基材は、ポリエステルの単繊維又はポリエステルを含む複合繊維であり、
前記第一の引張体には、一対の第一の耳掛け部が設けられ、
前記第二の引張体には、一対の第二の耳掛け部が設けられ、
前記第一の引張体と前記第二の引張体との間には、両側端から中心に向かう切込み部が設けられていることを特徴とする、美容用マスク。
【請求項２】
前記切込み部は、両側端に向かうに従って、その幅が広がるように形成されていることを特徴とする、請求項１に記載の美容用マスク。
【請求項３】
前記第一の耳掛け部は、中心から側端に向かうに従って、その幅が狭くなるように形成された略三角形の孔と、前記略三角形の孔の頂点からさらに前記第一の引張体の側端に向かうように形成された切込み線とからなることを特徴とする、請求項１又は２に記載の美容用マスク。
【請求項４】
前記第二の耳掛け部は、中心から側端に向かうに従って、その幅が狭くなるように形成された略三角形の孔と、前記略三角形の孔の頂点からさらに前記第二の引張体の側端に向かうように形成された切込み線とからなることを特徴とする、請求項１〜３のいずれか１項に記載の美容用マスク。
【請求項５】
顎先を露出させる顎先露出部が形成されていることを特徴とする、請求項１〜４のいずれか１項に記載の美容用マスク。
【請求項６】
口を露出させる口露出部が形成されていることを特徴とする、請求項１〜５のいずれか１項に記載の美容用マスク。
【請求項７】
皮膚化粧料を含浸させてなる、請求項１〜６のいずれか１項に記載の美容用マスク。
【発明の詳細な説明】
【技術分野】
【０００１】
本発明は、美容用マスクに関する。
【背景技術】
【０００２】
従来、顔面の肌に潤いや張りを与えるため、様々な美容用品が用いられている。かかる美容用品としては、皮膚化粧料や、ペースト状のパック剤等がある。近年では、皮膚化粧料等を含浸させた美容用マスクにより、顔面、特に目元、口元、首筋等の肌の手入れが行われている。
【０００３】
一般的に、美容用マスクとしては、例えば、フェイスシート、フェイスマスク等と呼ばれ、顔面を覆える程度の大きさに成形した吸水性のシート状基材が知られており、このフェイスマスク等には化粧料等が含浸されている。例えば、マスク状に成形したシート片に美容液を含浸させた顔用マスクが提案されている。この顔用マスクは、シート片の両頬部付近にシート片を折り返して重ね合わせるための切込み部が形成されている（例えば、特許文献１、２）。このような美容用マスクは、顔面に密着させることで、顔肌への化粧料の浸透を図っている。
また、例えば、顔面を覆うフェイスシートの下側部に顎部を被覆する延長片と該延長片に連接して首筋を被覆するカバーシートを一体に成形したフェイスシート化粧品が提案されている。このフェイスシート化粧品は、フェイスシートとカバーシートに耳掛け用の切込み部が設けられている（例えば、特許文献３）。このようなフェイスシート化粧品は、耳掛け部を設けることで、顔面に貼り付けた後に、顔面や首筋からの剥離防止を図っている。
【０００４】
美容用マスクの別の形態として、例えば、内側に医療用シリコン又は粘着性のあるシートや粘着剤を付着させ、頬の肉を頭頂部に向けて引き上げるホホアゲマスクが提案されている（例えば、特許文献４）。このホホアゲマスクは、物理的に頬を引き上げることを繰り返し行うことで、頬が上がった状態を保つことを目的としている。
【先行技術文献】
【特許文献】
【０００５】
【特許文献１】特開２００６−１５０４９号公報
【特許文献２】特開２００４−９７７８５号公報
【特許文献３】特許第３７８９４３１号公報
【特許文献４】特開２００６−４３２５５号公報
【発明の概要】
【発明が解決しようとする課題】
【０００６】
しかしながら、特許文献１〜３の技術では、化粧料等を肌に長時間保持することはできるものの、その効果は化粧料に由来するもののみであり、頬のたるみ等の矯正は不十分であった。加えて、従来のフェイスシートは、顔面の凹凸に併せてシート基材の重なりを調整する等、装着が煩雑であった。また、特許文献４のように、単に頬を上方に引き上げても、口元に笑みを浮かべたような美しいフェイスラインを実現できず、満足できる引き上げ効果を得られなかった。
そこで、本発明は、装着が容易で、引き上げ効果の良好な美容用マスクを目的とする。
【課題を解決するための手段】
【０００７】
本発明の美容用マスクは、伸縮性を有するシート状基材からなり、口の周り及び頬を覆い、口角及び頬を耳に向かって引張する第一の引張体と、第一の引張体の下部に設けられ、下顎を覆い、下顎を顎先から耳に向かって引張する第二の引張体とを有し、前記シート状基材は、ポリエステルの単繊維又はポリエステルを含む複合繊維であり、前記第一の引張体には、一対の第一の耳掛け部が設けられ、前記第二の引張体には、一対の第二の耳掛け部が設けられ、前記第一の引張体と前記第二の引張体との間には、両側端から中心に向かう切込み部が設けられていることを特徴とする。
【０００８】
前記切込み部は、両側端に向かうに従って、その幅が広がるように形成されていることが好ましく、前記第一の耳掛け部は、中心から側端に向かうに従って、その幅が狭くなるように形成された略三角形の孔と、前記略三角形の孔の頂点からさらに前記第一の引張体の側端に向かうように形成された切込み線とからなることが好ましく、前記第二の耳掛け部は、中心から側端に向かうに従って、その幅が狭くなるように形成された略三角形の孔と、前記略三角形の孔の頂点からさらに前記第二の引張体の側端に向かうように形成された切込み線とからなることが好ましい。顎先を露出させる顎先露出部が形成されていることが好ましく、口を露出させる口露出部が形成されていることが好ましく、皮膚化粧料を含浸させてなることがより好ましい。
【発明の効果】
【０００９】
本発明の美容用マスクによれば、容易に装着でき、かつ、引き上げ効果の向上が図れる。
【図面の簡単な説明】
【００１０】
【図１】本発明の一実施形態にかかる美容用マスクの平面図である。
【図２】図１の美容用マスクの第一の耳掛け部の拡大図である。
【図３】本発明の美容用マスクの装着状態を示す斜視図である。
【図４】本発明の一実施形態にかかる美容用マスクの平面図である。
【図５】本発明の一実施形態にかかる美容用マスクの平面図である。
【図６】本発明の一実施形態にかかる美容用マスクの平面図である。
【図７】引き上げ効果の測定系を説明する正面図である。
【図８】比較例４の美容用マスクの平面図である。
【図９】比較例５の美容用マスクの平面図である。
【図１０】比較例６の美容用マスクの平面図である。
【発明を実施するための形態】
【００１１】
本発明の美容用マスクの一実施形態について、図１、２を用いて説明する。なお、本発明は以下の実施形態に限定されるものではない。
図１は、本発明の美容用マスク１０の平面図である。図２は、第一の耳掛け部３０の拡大図である。図１に示すように、美容用マスク１０は、第一の引張体２０と第二の引張体４０とを有し、第一の引張体２０と第二の引張体４０との間には、両側端から中心線Ｏに向かう切込み部６０が形成されている。
【００１２】
第一の引張体２０は、美容用マスク１０を顔面に装着した際に、口の周り（口囲）及び頬を覆う形状であり、中心線Ｏから両側端に向かうに従い、その幅が狭くなるような略楕円形のシート状基材である。第一の引張体２０には、一対の第一の耳掛け部３０が設けられている。第一の引張体２０の上部には、装着した際に鼻を露出する鼻露出部７０が形成されている。また、第一の引張体２０の略中央部には、装着した際に口を露出させる略楕円形の口露出部７２が形成されている。
【００１３】
第二の引張体４０は、第一の引張体２０の下方に設けられ、美容用マスク１０を顔面に装着した際に、下顎を覆う形状であり、中心線Ｏから両端に向かうに従って、その幅が狭くなるような略欠円形のシート状基材である。第二の引張体４０には、一対の第二の耳掛け部５０が設けられている。
【００１４】
第一の引張体２０と第二の引張体４０との接続部分の近傍には、装着した際に顎先を露出する顎先露出部７４が形成されている。
【００１５】
図２に示すように、第一の耳掛け部３０は、略三角形の三角孔３１と略直線の延長切込み線３３とで概略構成されている。三角孔３１は、中心から第一の引張体２０の側端２２に向かうに従いその幅が狭くなるように形成されている。即ち、底辺３５が中心線Ｏ側に位置され、頂点３２が第一の引張体２０の側端２２に向かうように形成されている。延長切込み線３３は頂点３２から側端２２に向かうように形成されている。延長切込み線３３の先端には、延長切込み線３３の先端が略垂直に接する補助切込み線３４が形成されている。
なお、略三角形とは、各片が曲線で構成されたものや、頂点に隅切が形成されたり、Ｒが形成されたものをも含む概念である。
【００１６】
第二の耳掛け部５０は、第一の耳掛け部３０と同様に、略三角形の三角孔５１と略直線の延長切込み線５３とで概略構成されている。三角孔５１は、その底辺５５が中心線Ｏ側に位置され、頂点５２が第二の引張体４０の側端４２に向かうように形成されている。延長切込み線５３は頂点５２から側端４２に向かうように形成されている。延長切込み線５３の先端には、延長切込み線５３の先端が略垂直に接する補助切込み線５４が形成されている。
【００１７】
シート状基材は、ポリエステルの単繊維又はポリエステルを含む複合繊維からなり、伸縮性を有するシート状の繊維である。伸縮性を有するシート状基材を用いることで、装着した際に口角、頬及び下顎を耳の方向に向かって引き上げ、かつ、引き上げた状態を維持できるためである。加えて、シート状基材は、ポリエステルの単繊維又はポリエステルを含む複合繊維からなることで、良好な伸縮性と保水性を発揮できる。
【００１８】
本発明において「伸縮性を有する」とは、下記の試験方法により測定される伸縮力が０．７０ｃｍ以上であることをいう。伸縮力は、０．７０〜３．００ｃｍが好ましく、０．９０〜２．２２ｃｍがより好ましく、１．１０〜２．２２ｃｍがさらに好ましい。伸縮力が０．７０ｃｍ未満であると、十分な引き上げ効果が得られないためである。伸縮力が０．７０〜３．００ｃｍであれば、十分な引き上げ効果を得られつつ、装着が容易であり、装着時の耳への負担が少ないためである。
【００１９】
伸縮力は、次のように測定できる。まず、シート状基材を縦５ｃｍ×幅２ｃｍに切断して試験体とする。該試験体の一端に重り（３００ｇ）を吊るし、荷重を掛けて伸長させ、１５分後の試験体の縦の長さ（Ａ）を計測する。Ａを計測後、試験体から重りを外し、５秒後に試験体の縦の長さ（Ｂ）を計測する。ＡとＢとの値から、下記（１）式により伸縮力が求められる。
【００２０】
伸縮力（ｃｍ）＝Ａ（ｃｍ）−Ｂ（ｃｍ）  ・・・・（１）
【００２１】
シート状基材としては、例えば、不織布を好適に用いることができる。不織布は、適度な伸縮性を有すると共に、保水性を有し、後述する皮膚化粧料を十分量含浸できるためである。
シート状基材として用いる不織布の種類は特に限定されないが、例えば、スパンボンド、メルトブロー、サーマルボンド、ケミカルボンド、スパンレース、ニードルパンチ等の公知の製造方法により得られる不織布が挙げられる。また、例えば、潜在捲縮性繊維を含む繊維ウェブをスパンレース法により繊維交絡処理に付し、交絡処理後の繊維ウェブを加熱により立体捲縮を発現させた不織布（以下、立体捲縮不織布という）が挙げられる。中でも、シート状基材としては、立体捲縮不織布が好ましい。立体捲縮不織布であれば、良好な伸縮性を有するため、より良好な引き上げ効果が得られる。このような立体捲縮不織布としては、例えば、特開２００８−２８５４３３号公報に記載されているものが挙げられ、市販品としてＪＰ−１００（ダイワボウポリテック株式会社製）等が挙げられる。なお、立体捲縮とは、スパイラル状の湾曲又はカール、及びスタッフィングボックス型クリンパー等によって付与され、捲縮の屈曲部分が変形して丸みを帯びるに至った部分を指す。
【００２２】
シート状基材の材質は、ポリエチレンテレフタレート（ＰＥＴ）等のポリエステルの単繊維又はポリエステルを含む複合繊維が挙げられる。複合繊維としては、ポリエステルと、ポリプロピレン（ＰＰ）、ポリエチレン（ＰＥ）、レーヨン等の合成繊維、綿（コットン）、絹等の天然繊維との複合繊維が挙げられる。中でも、ＰＥＴの単繊維又は複合繊維（以下、総じてＰＥＴ系繊維という）が好ましい。ＰＥＴ系繊維であれば、良好な伸縮性と保水性を発揮し、より良好な引き上げ効果が得られる。
このように、シート状基材を不織布、より好ましくはＰＥＴ系繊維の不織布とすることで、不織布の良好な伸縮性により、美容用マスクの肌への密着性及び引き上げ効果の向上が図れる。
【００２３】
不織布の目付は特に限定されないが、例えば、３０〜２５０ｇ／ｍ２が好ましく、使用性の観点から、７０〜１５０ｇ／ｍ２がより好ましい。目付が３０ｇ／ｍ２未満であると、含浸させ得る化粧料の絶対量が少なくなると共に、手で持ったときの感じが軟弱となり、装着時の取り扱いが悪くなるおそれがある。加えて、弾力性が小さくなることに起因して、装着時に良好な着け心地を得られないことがある。目付が２５０ｇ／ｍ２を超えると、厚くなりすぎて、装着する際に撚れやしわの発生なく密着させることが難しくなると共に、コスト高となる。
【００２４】
シート状基材の厚さは、シート状基材の材質や、使用性等を勘案して決定できる。例えば、シート状基材の厚さは、０．４〜２．０ｍｍが好ましく、０．６〜１．０ｍｍがより好ましい。上記範囲内であれば、美容用マスク１０に必要な強度が維持されると共に、美容用マスク１０の装着が容易である。
【００２５】
第一の引張体２０の横方向の長さＬ１は、シート状基材の材質等を勘案して決定することができ、例えば、Ｌ１＝２４０〜２８０ｍｍの範囲とされる。第一の引張体２０の幅Ｗ１は、シート状基材の材質等を勘案して決定することができ、例えば、８０〜１１０ｍｍの範囲とされる。
【００２６】
第二の引張体４０の横方向の長さＬ２は、シート状基材の材質等を勘案して決定することができ、例えば、Ｌ２＝２４０〜２８０ｍｍの範囲とされる。第二の引張体４０の幅Ｗ２は、シート状基材の材質等を勘案して決定することができ、例えば、４０〜６０ｍｍの範囲とされる。
なお、Ｌ１とＬ２とは同一であってもよいし、異なっていてもよい。ただし、装着時の耳への負担を緩和する観点から、Ｌ１とＬ２とは同一、あるいは、Ｌ１がＬ２よりも長いことが好ましい。
【００２７】
第一の引張体２０と第二の引張体４０とは、１枚のシート状基材を打ち抜いて成形したものでもよいし、第一の引張体２０と第二の引張体４０とを別々に成形した後、接続してもよい。中でも、生産効率の観点からは、１枚のシート状基材を打ち抜いて成形したものが好ましい。なお、第一の引張体２０と第二の引張体４０とは、材質が同じであってもよいし、異なっていてもよい。
【００２８】
第一の耳掛け部３０における三角孔３１の頂点３２の角度βは、三角孔３１の大きさや、シート状基材の材質等を勘案して決定することができ、例えば、１５〜６０°の範囲とすることが好ましく、３０〜４５°の範囲とすることがより好ましい。１５°未満であると装着時における耳への負担を解消できず、６０°を超えると耳掛け部３０の強度が低下して取り扱い性が悪くなり、装着する際に撚れやしわの発生なく密着させることが難しくなる。
第一の耳掛け部３０の長さＬ５（図２）は、シート状基材の材質や第一の引張体２０の長さＬ１等を勘案して決定することができ、例えば、３０〜５０ｍｍとされる。上記範囲内であれば、装着が容易であると共に、必要な強度を維持できる。
【００２９】
第二の耳掛け部５０における三角孔５１の頂点５２の角度は、頂点３２の角度と同様である。
第二の耳掛け部５０の長さは、第一の耳掛け部３０の長さと同様である。
【００３０】
切込み部６０は、美容用マスク１０の両端から中心線Ｏに向かって形成され、かつ、装着時において第一の引張体２０と第二の引張体４０とが切り離されないようにされている。切込み部６０の切込みの程度は、シート状基材の材質や強度を勘案して決定でき、例えば、第二の引張体４０の側端４２から切込み部６０の先端６２までの長さＬ４を８０〜１２０ｍｍとすることが好ましい。美容用マスク１０は、切込み部６０が形成されていることで、装着時の取り扱いが容易である。加えて、シート状の美容用マスク１０を口囲、頬及び下顎に、撚れやしわを生じずに密着させることができる。
【００３１】
切込み部６０における角度αは特に限定されず、シート状基材の材質等を勘案して決定することができ、例えば、６０°以下とすることが好ましく、１５〜４５°とすることがより好ましい。６０°を超えると、装着時の取り扱いが悪くなるおそれがある。さらに、角度αを１５〜４５°とすることで、装着時の取り扱いが容易になると共に、美容用マスク１０の肌への密着性が向上し、引き上げ効果のさらなる向上が図れる。加えて、密着性が高まるため、使用者は良好な引き上げ感を得られる。
【００３２】
鼻露出部７０の形状は特に限定されず、外鼻の輪郭に沿って、第一の引張体２０の上端部に形成した凹状の切込みでもよいし、第一の引張体２０の一部に形成した孔であってもよい。
【００３３】
口露出部７２の大きさは、特に限定されず、シート状基材の材質等を勘案して適宜決定することができる。なお、口が露出するとは、上唇と下唇とで囲まれた口裂の少なくとも一部が露出することを意味する。
【００３４】
顎先露出部７４の長さＬ３は、シート状基材の材質、切込み部６０の大きさや角度α等を勘案して決定することができ、例えば、Ｌ３／Ｌ２で表される比率を０．０８〜０．３１とすることが好ましい。さらに引き上げ効果の向上、密着性の向上の観点からは、０．１２〜０．２３とすることがより好ましい。Ｌ３／Ｌ２が上記範囲内であれば、引き上げ効果の向上と装着の容易性との両立が図れる。加えて、密着性が高まるため、使用者は良好な引き上げ感を得られる。
【００３５】
本発明の美容用マスク１０は、皮膚化粧料が含浸されていてもよい。美容用マスク１０は、皮膚化粧料が含浸されていることで、口囲、頬及び下顎の角質層の保湿効果により、肌に潤いと張りを与えることができる。加えて、皮膚化粧料を含浸することで、美容用マスク１０と肌との密着性が上がり、引き上げ効果のさらなる向上が図れる。
含浸する皮膚化粧料は、例えば、美容液、化粧水（美白、紫外線防止も含む）、油性成分を含む乳化組成物（乳液）、クレンジング剤等が挙げられる。
皮膚化粧料の組成は、特に限定されないが、密着性を高め、引き上げ効果を高める観点から、グリセリン、ジプロピレングリコール、１−３ブチレングリコール等の多価アルコールを含むものが好ましい。皮膚化粧料中の多価アルコールの含有量は、皮膚化粧料に求める効果を勘案して決定することができ、例えば、２０〜５０質量％が好ましく、２５〜４０質量％がより好ましい。多価アルコールの含有量が上記範囲内であれば、美容用マスク１０と肌との密着性を高め、引き上げ効果をさらに向上できる。加えて、密着性が高まるため、使用者は良好な引き上げ感を得られる。
【００３６】
皮膚化粧料は、美容用マスク１０全体に含浸されていてもよいし、美容用マスク１０の一部に含浸されていてもよい。装着時の取り扱い性を良好とし、装用感の低下を防ぐ観点から、皮膚化粧料は、第一の耳掛け部３０及び第二の耳掛け部５０の周辺、即ち、装着時に耳に触れる範囲を除いた部分に含浸されていることが好ましい。あるいは、皮膚化粧料を塗布する対象部位（例えば、頬、頬骨近傍、口囲、顎先等）と接触する部分にのみ、皮膚化粧料が含浸されていてもよい。
【００３７】
美容用マスク１０に含浸する皮膚化粧料の量は、シート状基材の材質や皮膚化粧料の種類を勘案して決定できる。例えば、皮膚化粧料が含浸される部分（以下、含浸対象部）のシート状基材の質量（Ｃ）と、含浸する皮膚化粧料の質量（Ｄ）との質量比（Ｄ／Ｃ）で表される含浸倍率が、５〜１３であることが好ましく、７〜１１であることがより好ましい。含浸倍率が５未満であると、引き上げ効果の向上が図れないおそれがあり、１３を超えると皮膚化粧料が垂れる等、装着時の取り扱いに不都合が生じ、使用性が劣る場合がある。
【００３８】
美容用マスク１０への皮膚化粧料の含浸方法は、公知の手法を用いることができ、例えば、含浸対象部にハケで塗布して含浸する方法や、スプレー噴霧して含浸する方法が挙げられる。
【００３９】
美容用マスク１０の使用方法について、図３を用いて説明する。図３は、美容用マスク１０の装着時の状態を説明する斜視図である。
第一の引張体２０を鼻露出部７０から鼻９１が露出し、口露出部７２から口９３が露出するように口囲９０及び頬９２に接触させると共に、第一の耳掛け部３０をそれぞれ両の耳９５に掛ける。次いで、顎先露出部７４から顎先９６が露出するように、第二の引張体４０を下顎９４に接触させると共に、第二の耳掛け部５０をそれぞれ両の耳９５に掛ける。こうして、美容用マスク１０を装着することで、第一の引張体２０は、矢印Ｆ１のように、頬９２及び口角９８を耳９５に向かって引張する。また、第二の引張体４０は、矢印Ｆ２のように、下顎９４を顎先９６から耳９５に向かって引張する。
【００４０】
美容用マスク１０の装着時間は特に限定されず、使用する皮膚化粧料の種類等を勘案して決定でき、例えば、５分間〜２時間が好ましく、１０〜３０分間がより好ましい。上記範囲内であれば、美容用マスク１０による引き上げ効果が十分に発揮されると共に、皮膚化粧料の皮膚への保湿作用が十分となる。さらに、美容用マスク１０を外した後も、引き上げ効果が持続される。
【００４１】
以上の通り、本発明の美容用マスクは、ポリエステルを含有する伸縮性を有するシート状基材からなる第一の引張体と第二の引張体を有し、第一の引張体には第一の耳掛け部が形成され、第二の引張体には第二の耳掛け部が形成されている。このため、第一の引張体は、口角及び頬を耳の方向（図３の矢印Ｆ１の方向）に引き上げるように作用する。そして、頬等の肌が元に戻ろうとする力に対しシート状基材の伸縮性が作用し、引き上げた状態を維持できる。第二の引張体は、下顎を耳方向（図３の矢印Ｆ２の方向）に引き上げるように作用する。そして、下顎等の肌が元に戻ろうとする力に対しシート状基材の伸縮性が作用し、引き上げた状態を維持できる。加えて、切込み部が形成されていることで、第一の引張体及び第二の引張体は、それぞれ容易に皮膚に密着し引き上げ効果を高めることができる。さらに、切込み部が形成されているため、第一の耳掛け部と第二の耳掛け部とを耳に掛けるだけで、撚れやしわの発生なく、容易に装着できる。こうして、口角、頬及び下顎を耳方向に引き上げることで、口元に笑みを浮かべたような美しいフェイスラインを容易に実現できる。加えて、美容用マスクを外した後も、引き上げ効果が維持される。
【００４２】
第一の耳掛け部及び第二の耳掛け部は、三角孔と延長切込み線とで構成されているため、装着時の耳への負担が軽減し、長時間の装着においても耳が痛くなることを防止できる。
加えて、顎先露出部が形成されていることで、美容用マスクは、肌への密着性が高まり、引き上げ効果の向上が図れると共に、装着が容易となる。
【００４３】
本発明の美容用マスクは、口露出部が形成されているため、使用者に対し装着時に息苦しさを与えることなく長時間装着できる。加えて、鼻露出部が形成されているため、使用者に対し装着時に鼻への圧迫感や息苦しさを与えることなく、長時間装着できる。さらに、皮膚化粧料が含浸されていることで、肌との密着性が上がり、引き上げ効果のさらなる向上が図れると共に、肌に対して皮膚化粧料による美容効果を付与できる。
【００４４】
本発明は、上述の実施形態に限定されるものではない。
上述の実施形態では、鼻露出部が形成されているが、本発明はこれに限定されず、鼻露出部が形成されていなくてもよい。ただし、装着時の鼻への圧迫感や息苦しさを解消する観点から、鼻露出部が形成されていることが好ましい。
【００４５】
上述の実施形態では、略楕円形の口露出部が形成されているが、本発明はこれに限定されず、口露出部が形成されていなくてもよい。ただし、装着時の口への圧迫感や息苦しさを解消する観点から、口露出部が形成されていることが好ましい。また、口露出部の形状は略楕円形に限られず、例えば、水平方向に形成された略直線の切込み線でもよいし、四角形等であってもよい。
【００４６】
上述の実施形態では、略直線の顎先露出部が形成されているが、本発明はこれに限定されず、顎先露出部が形成されていなくてもよい。ただし、引き上げ効果の向上の観点からは、顎先露出部が形成されていることが好ましい。また、顎先露出部の形状は略直線に限られず、例えば、四角形や略楕円形であってもよい。
【００４７】
上述の実施形態では、第一の耳掛け部は三角孔と延長切込み線とで構成されているが、本発明はこれに限定されない。例えば、図４に示す美容用マスク１０ａのように、略直線の切込み線の第一の耳掛け部３０ａが形成されていてもよい。あるいは、図５に示す美容用マスク１０ｂのように、略楕円形の孔の第一の耳掛け部３０ｂが形成されていてもよい。また、例えば、図６に示す美容用マスク１０ｃのように、中心から第一の引張体２０ｃの側端２２ｃに向かうに従って、その幅が狭くなるような略三角形の孔の第一の耳掛け部３０ｃが形成されていてもよい。
なお、第二の耳掛け部は第一の耳掛け部と同様に、略直線の切込み線の第二の耳掛け部５０ａ（図４）であってもよいし、略楕円形の孔の第二の耳掛け部５０ｂ（図５）であってもよいし、略三角形の孔の第二の耳掛け部５０ｃ（図６）であってもよい。
【００４８】
上述の実施形態では、切込み部が角度αの切り欠き状とされている（図２）。しかしながら、本発明はこれに限定されず、例えば、切込み部の形状は、略直線状（α＝０°）であってもよい。
また、美容用マスクの装着時において撚れやしわの発生を助長しない範囲で、切込み部には、蛇腹状の接続部が設けられていてもよい。
【００４９】
本発明の美容用マスクの形状は、上述の実施形態に限定されず、本発明の目的を損なわない範囲であらゆる形状を選択することができる。例えば、第一の引張体、第二の引張体のいずれか又は両方を四角形等の多角形としてもよい。
【実施例】
【００５０】
以下に実施例を挙げて説明するが、本発明は実施例に限定されるものではない。
（使用材料）
＜シート状基材＞
基材１：ニードルパンチ法により作製した不織布（ＯＳ−９０、材質；ＰＥＴ、厚さ；０．８８ｍｍ、旭化成ホームプロダクツ株式会社製）
基材２：ＰＥＴ／ＰＥＴ潜在捲縮性繊維を含む繊維ウェブを水流交絡処理後、熱処理をし、捲縮性を発現させて作製した不織布（ＪＰ−１００、厚さ；０．８３ｍｍ、ダイワボウポリテック株式会社製）
基材３：スパンレース法により作製した不織布（ＨＥ−１００、厚さ；０．７８ｍｍ、材質；ＰＥＴ、日本バイリーン株式会社製）
基材４：ＰＥＴ／レーヨン分割繊維をスパンレース法により作製した不織布（ＲＰＴ−２、厚さ；０．７５ｍｍ、ダイワボウポリテック株式会社製）
基材５：親水性繊維してのレーヨンと、疎水性繊維としてのＰＥＴ／ＰＥ分割繊維（５０／５０）とを質量比率（親水性繊維／疎水性繊維）が４０／６０となるように混合したカードウェブを、支持体上で水流交絡処理するスパンレース法により作製した不織布（ＤＦＳ（ＳＨ）Ｒ−７０、厚さ；０．６８ｍｍ、ダイワボウポリテック株式会社製）
基材６：親水性ＰＥＴ／特殊レーヨンをスパンレース法により作製した不織布（２ＲＴＥＰ２１００、厚さ；０．８３ｍｍ、日清紡テキスタイル株式会社製）
基材７：コットン／ＰＥＴ／ＰＥ繊維をスパンレース法により作製した不織布（Ｃ０８０Ｐ／Ｅ０１、厚さ；０．７３ｍｍ、ユニチカ株式会社製）
基材８：コットンをスパンレース法により作製した不織布（ＣＯ８０Ｓ／Ａ１８、厚さ；０．７５ｍｍ、ユニチカ株式会社製）
基材９：レーヨンをスパンレース法により作製した不織布（ＰＲＢ００Ｙ０、厚さ；０．６８ｍｍ、ユニチカ株式会社製）
基材１０：ＰＰ繊維をスパンボンド法により作製した不織布（ＲＷ２１００、厚さ；０．７８ｍｍ、出光石油株式会社製）
なお、基材１〜１０については、伸縮力を測定し、その結果を表中に記載した。また、基材１〜１０の厚さは、マイクロメーターを用いて測定した実測値である。
【００５１】
＜皮膚化粧料＞
化粧料１：表１の組成に従い、各成分をアジホモミキサー（真空乳化装置  ＰＶＩ−Ｉ−２０、みずほ工業株式会社製）にて以下の手順で混合し、化粧料１を調製した。
まず、グリセリン、ジプロピレングリコール、１，３−ブチレングリコール、カルボキシビニルポリマー、キサンタンガムを精製水の一部に溶解し、水相小物とした。植物性スクワラン、ミリスチン酸イソプロピル、モノステアリン酸グリセリル、ポリオキシエチレン（１０）フィトステロール、メチルポリシロキサン（１０ｍｍ２／ｓ）、ポリ（オキシエチレン・オキシプロピレン）・ブチレン・メチルポリシロキサン共重合体、セトステアリルアルコールを７０〜８０℃に維持して溶解し、油相小物とした。エタノール、トリイソプロパノールアミンを精製水の残部に溶解し、エタノール相小物とした。
前記水相小物をアジホモミキサーに投入した。アジホモミキサーをかき取り羽根：９０ｒｐｍ、真空度：−４０〜６０ｋＰａ（ゲージ圧）の条件で運転し、７０〜８０℃で５分間、攪拌した。次いで、前記油相小物をアジホモミキサーに投入した。アジホモミキサーをかき取り羽根：９０ｒｐｍ、乳化用攪拌羽根：８０００ｒｐｍ、真空度：−４０〜６０ｋＰａ（ゲージ圧）の条件で運転し、７０〜８０℃で２分間、乳化した。乳化した後、乳化用攪拌羽根を停止し、かき取り羽根：９０ｒｐｍ、真空度：−４０〜６０ｋＰａで乳化液を攪拌し冷却した。乳化液が４２℃になった時点で、前記エタノール小物をアジホモミキサーに投入し、１５分間攪拌して化粧料１を得た。
得られた化粧料１は、粘度が３０００ｍＰａ・ｓ、ｐＨ７．５０であった。化粧料１の粘度は、ＢＬ型粘度計（東京計器株式会社製）を用い、ローターＮｏ．３、３０ｒｐｍ、６０秒、２５℃の条件で測定した。ｐＨは、化粧料１をバイアル瓶（ＳＶ−５０、白電理化硝子株式会社製）にいれ、２５±１℃の条件下で、ガラス電極式水素イオン濃度計（６３６６−１０Ｄ、株式会社堀場製作所製）で測定した。
【００５２】
【表１】
2010259621.tif 000003
【００５３】
化粧料２：組成を表２の組成とした以外は化粧料１と同様にして化粧料２を得た。得られた化粧料２は、粘度が３５００ｍＰａ・ｓ、ｐＨ７．５０であった。
【００５４】
【表２】
2010259621.tif 000004
【００５５】
化粧料３：組成を表３の組成とした以外は化粧料１と同様にして化粧料３を得た。得られた化粧料３は、粘度が２８００ｍＰａ・ｓ、ｐＨ７．５０であった。
【００５６】
【表３】
2010259621.tif 000005
【００５７】
化粧料４：組成を表４の組成とした以外は化粧料１と同様にして化粧料４を得た。得られた化粧料４は、粘度が２５００ｍＰａ・ｓ、ｐＨ７．５０であった。
【００５８】
【表４】
2010259621.tif 000006
【００５９】
（評価方法）
＜引き上げ感＞
引き上げ感の評価は、専門パネル１０名が各例の美容用マスクを１５分間装着した後、下記の評価基準により評価した。１０名の評価の平均点を算出し、下記の分類基準に従い、平均点を分類した。
【００６０】
［評価基準］
５点：引き上げ感が非常にある
４点：引き上げ感がかなりある
３点：引き上げ感がある
２点：引き上げ感がごくわずかにある
１点：引き上げ感はほとんどない
【００６１】
［分類基準］
◎◎：４．５点以上５点以下
◎：４．０点以上４．５点未満
◎〜○：３．５点以上４．０点未満
○：３．０点以上３．５点未満
△：２．０点以上３．０点未満
×：２．０点未満
【００６２】
＜耳の痛み＞
耳の痛みの評価は、専門パネル１０名が各例の美容用マスクを１５分間装着した後、下記の評価基準により評価した。１０名の評価の平均点を算出し、下記の分類基準に従い、平均点を分類した。
【００６３】
［評価基準］
５点：耳の痛みを感じない
４点：耳の痛みをほとんど感じない
３点：耳の痛みをごくわずかに感じる
２点：耳の痛みをやや感じる
１点：耳の痛みをかなり感じる
【００６４】
［分類基準］
◎：４．５点以上５点以下
◎〜○：３．５点以上４．５点未満
○：３．０点以上３．５点未満
△：２．０点以上３．０点未満
×：２．０点未満
【００６５】
＜使用性＞
使用性の評価は、専門パネル１０名が各例の美容用マスクを装着し、撚れやしわの発生なく、容易に装着できるものを使用性が良好であると評価した。専門パネラーの評価結果を下記評価基準により分類し、使用性の評価結果とした。
【００６６】
［評価基準］
◎◎：良好と答えた者が１０名中１０名
◎：良好と答えた者が１０名中９名
◎〜○：良好と答えた者が１０名中７〜８名
○：良好と答えた者が１０名中５〜６名
△：良好と答えた者が１０名中３〜４名
×：良好と答えた者が１０名中２名以下
【００６７】
＜引き上げ効果＞
専門パネル５名により、実施例２０、２３〜３０、比較例７の美容用マスクの引き上げ効果を以下の方法により比較した。
【００６８】
［評価方法］
図７に示すように、ほうれい線（鼻唇溝）に近い頬に、直径５ｍｍのマーク１００を６つ付け被験部とした。美容用マスクの装着前、美容用マスクの装着時、美容用マスクの取外し直後、取外し１０分後において、被験部の写真をデジタルカメラで撮影した。画像処理にて装着前の画像に各時間の画像を重ね合わせ、マーク１００の中心部１０２が移動した距離を算出した。なお、顔面の位置合わせの正確を期するため、撮影時には、額、両こめかみ、顎を固定できる眼科検診用の顎固定台（竹井機器工業株式会社製）１１０にて頭部を固定した。各例の美容用マスクについて、５名のパネラーにより測定を行った。評価は、５名の測定結果の平均移動距離を算出し、下記評価基準で評価した。
【００６９】
［評価基準］
◎◎：３．０ｍｍ以上
◎：１．０ｍｍ以上３．０ｍｍ未満
○：０．５ｍｍ以上１．０ｍｍ未満
△：０．３ｍｍ以上０．５ｍｍ未満
×：０．３ｍｍ未満
【００７０】
（実施例１〜７、比較例１〜３）
表中のシート状基材を図４に示す形状に型抜きし、美容用マスクを得た。図４の美容用マスク１０ａは、第一の引張体２０ａの長さＬ１を２６０ｍｍとし、幅Ｗ１を９５ｍｍとした。第二の引張体４０ａの長さＬ２を２６０ｍｍとし、幅Ｗ２を５５ｍｍとした。切込み部６０は、長さＬ４を９０ｍｍとし、角度αを２５°とした。第一の耳掛け部３０ａは、長さ３３ｍｍの直線の切込み線とした。第二の耳掛け部５０ａは長さ３５ｍｍの直線の切込み線とした。なお、口露出部及び顎先露出部は設けなかった。
得られた美容用マスクについて、引き上げ感及び使用性を評価し、その結果を表５〜６、１０に示す。実施例２については、耳の痛みについても評価し、その結果を表５に示す。
【００７１】
（実施例８）
切込み部６０を直線の切込み線（角度αを０°）とした以外は、実施例２と同様にして美容用マスクを得た。得られた美容用マスクについて、引き上げ感及び使用性を評価し、その結果を表６に示す。
【００７２】
（実施例９）
切込み部６０の角度αを１５°とした以外は、実施例２と同様にして美容用マスクを得た。得られた美容用マスクについて、引き上げ感及び使用性を評価し、その結果を表６に示す。
【００７３】
（実施例１０）
切込み部６０の角度αを４５°とした以外は、実施例２と同様にして美容用マスクを得た。得られた美容用マスクについて、引き上げ感及び使用性を評価し、その結果を表７に示す。
【００７４】
（実施例１１）
切込み部６０の角度αを６０°とした以外は、実施例２と同様にして美容用マスクを得た。得られた美容用マスクについて、引き上げ感及び使用性を評価し、その結果を表６に示す。
【００７５】
（実施例１２）
シート状基材を図５に示す形状に型抜きした以外は、実施例２と同様にして美容用マスクを得た。図５の美容用マスク１０ｂは、第一の引張体２０ｂに形成された略楕円形の孔（長径＝３３ｍｍ、短径＝１０ｍｍ）を第一の耳掛け部３０ｂとし、第二の引張体４０ｂに形成された略楕円形の孔（長径＝３３ｍｍ、短径＝１０ｍｍ）を第二の耳掛け部５０ｂとした以外は、美容用マスク１０ａと同様である。得られた美容用マスクについて、耳の痛み、引き上げ感及び使用性を評価し、その結果を表６に示す。
【００７６】
（実施例１３）
シート状基材を図６に示す形状に型抜きした以外は、実施例２と同様にして美容用マスクを得た。図６の美容用マスク１０ｃは、第一の引張体２０ｃに設けられた第一の耳掛け部３０ｃ及び第二の引張体４０ｃに設けられた第二の耳掛け部５０ｃを略二等辺三角形の孔とした以外は、美容用マスク１０ａと同様である。第一の耳掛け部３０ｃは、底辺３５ｃ（３５ｍｍ）を中心線Ｏ側とし、頂点３２ｃ（２５°）を側端２２ｃ側とした略二等辺三角形の孔である。第二の耳掛け部５０ｃは、底辺５５ｃ（３５ｍｍ）を中心線Ｏ側とし、頂点５２ｃ（２５°）を側端４２ｃ側とした略二等辺三角形の孔である。得られた美容用マスクについて、耳の痛み、引き上げ感及び使用性を評価し、その結果を表７に示す。
【００７７】
（実施例１４）
第一の耳掛け部及び第二の耳掛け部を美容用マスク１０（図１、２）と同様の形状（三角孔と延長切込み線）とした以外は、実施例２と同様にして美容用マスクを得た。第一の耳掛け部及び第二の耳掛け部は、三角孔を角度β＝１５°、底辺（図１の底辺３５、５５）の長さ＝１０ｍｍの略二等辺三角形とし、延長切込み線（図１の延長切込み線３３、５３）の長さを２２ｍｍとした。得られた美容用マスクについて、耳の痛み、引き上げ感及び使用性を評価し、その結果を表７に示す。
【００７８】
（実施例１５）
第一の耳掛け部及び第二の耳掛け部を三角孔の角度β＝３０°、底辺（図１の底辺３５、５５）の長さ＝１０ｍｍの略二等辺三角形とし、延長切込み線（図１の延長切込み線３３、５３）の長さを２２ｍｍとした以外は、実施例１４と同様にして美容用マスクを得た。得られた美容用マスクについて、耳の痛み、引き上げ感及び使用性を評価し、その結果を表７に示す。
【００７９】
（実施例１６）
第一の耳掛け部及び第二の耳掛け部を三角孔の角度β＝４５°、底辺（図１の底辺３５、５５）の長さ＝１０ｍｍの略二等辺三角形とし、延長切込み線（図１の延長切込み線３３、５３）の長さを２２ｍｍとした以外は、実施例１４と同様にして美容用マスクを得た。得られた美容用マスクについて、耳の痛み、引き上げ感及び使用性を評価し、その結果を表７に示す。
【００８０】
（実施例１７）
第一の耳掛け部及び第二の耳掛け部を三角孔の角度β＝６０°、底辺（図１の底辺３５、５５）の長さ＝１０ｍｍの略二等辺三角形とし、延長切込み線（図１の延長切込み線３３、５３）の長さを２２ｍｍとした以外は、実施例１４と同様にして美容用マスクを得た。得られた美容用マスクについて、耳の痛み、引き上げ感及び使用性を評価し、その結果を表７に示す。
【００８１】
（実施例１８）
Ｌ３／Ｌ２（図１）を０．０８とする顎先露出部（Ｌ３＝２０ｍｍ）を形成した以外は、実施例１５と同様にして美容用マスクを得た。得られた美容用マスクについて、耳の痛み、引き上げ感及び使用性を評価し、その結果を表７に示す。
【００８２】
（実施例１９）
Ｌ３／Ｌ２（図１）を０．１２とする顎先露出部（Ｌ３＝３０ｍｍ）を形成した以外は、実施例１５と同様にして美容用マスクを得た。得られた美容用マスクについて、耳の痛み、引き上げ感及び使用性を評価し、その結果を表８に示す。
【００８３】
（実施例２０）
Ｌ３／Ｌ２（図１）を０．１５とする顎先露出部（Ｌ３＝４０ｍｍ）を形成した以外は、実施例１５と同様にして美容用マスクを得た。得られた美容用マスクについて、耳の痛み、引き上げ感及び使用性の評価、ならびに引き上げ効果の測定を行い、その結果を表８に示す。
【００８４】
（実施例２１）
Ｌ３／Ｌ２を０．２３とする顎先露出部（Ｌ３＝６０ｍｍ）を形成した以外は、実施例１５と同様にして美容用マスクを得た。得られた美容用マスクについて、耳の痛み、引き上げ感及び使用性を評価し、その結果を表８に示す。
【００８５】
（実施例２２）
Ｌ３／Ｌ２を０．３１とする顎先露出部（Ｌ３＝８０ｍｍ）を形成した以外は、実施例１５と同様にして美容用マスクを得た。得られた美容用マスクについて、耳の痛み、引き上げ感及び使用性を評価し、その結果を表８に示す。
【００８６】
（実施例２３）
美容用マスク全体に、皮膚化粧料１を含浸倍率＝５となるようにハケで塗布した以外は、実施例２０と同様にして美容用マスクを得た。得られた美容用マスクについて、耳の痛み、引き上げ感及び使用性の評価、ならびに引き上げ効果の測定を行い、その結果を表８に示す。
【００８７】
（実施例２４）
美容用マスク全体に、皮膚化粧料１を含浸倍率＝７となるようにハケで塗布した以外は、実施例２０と同様にして美容用マスクを得た。得られた美容用マスクについて、耳の痛み、引き上げ感及び使用性の評価、ならびに引き上げ効果の測定を行い、その結果を表８に示す。
【００８８】
（実施例２５）
美容用マスク全体に、皮膚化粧料１を含浸倍率＝１１となるようにハケで塗布した以外は、実施例２０と同様にして美容用マスクを得た。得られた美容用マスクについて、耳の痛み、引き上げ感及び使用性の評価、ならびに引き上げ効果の測定を行い、その結果を表９に示す。
【００８９】
（実施例２６）
美容用マスク全体に、皮膚化粧料１を含浸倍率＝１３となるようにハケで塗布した以外は、実施例２０と同様にして美容用マスクを得た。得られた美容用マスクについて、耳の痛み、引き上げ感及び使用性の評価、ならびに引き上げ効果の測定を行い、その結果を表９に示す。
【００９０】
（実施例２７）
皮膚化粧料１を皮膚化粧料２に換えた以外は、実施例２５と同様にして美容用マスクを得た。得られた美容用マスクについて、耳の痛み、引き上げ感及び使用性の評価、ならびに引き上げ効果の測定を行い、その結果を表９に示す。
【００９１】
（実施例２８）
皮膚化粧料１を皮膚化粧料３に換えた以外は、実施例２５と同様にして美容用マスクを得た。得られた美容用マスクについて、耳の痛み、引き上げ感及び使用性の評価、ならびに引き上げ効果の測定を行い、その結果を表９に示す。
【００９２】
（実施例２９）
皮膚化粧料１を皮膚化粧料４に換えた以外は、実施例２５と同様にして美容用マスクを得た。得られた美容用マスクについて、耳の痛み、引き上げ感及び使用性の評価、ならびに引き上げ効果の測定を行い、その結果を表９に示す。
【００９３】
（実施例３０）
口露出部７２を設け、図１の美容用マスク１０と同様に型抜きした以外は、実施例２５と同様にして美容用マスクを得た。口露出部７２は、長径＝４４ｍｍ、短径＝２０ｍｍの略楕円形とした。耳の痛み、引き上げ感及び使用性の評価、ならびに引き上げ効果の測定を行い、その結果を表９に示す。
【００９４】
（比較例４）
図８に示すように、切込み部を設けない形状に型抜きした以外は、実施例２と同様にして美容用マスクを得た。得られた美容用マスクについて、引き上げ感及び使用性を評価し、その結果を表１０に示す。
【００９５】
（比較例５）
図９に示すように、第二の耳掛け部を設けない形状に型抜きした以外は、実施例２と同様にして美容用マスクを得た。得られた美容用マスクについて、引き上げ感及び使用性を評価し、その結果を表１０に示す。
【００９６】
（比較例６）
図１０に示すように、第一の耳掛け部を設けない形状に型抜きした以外は、実施例２と同様にして美容用マスクを得た。得られた美容用マスクについて、引き上げ感及び使用性を評価し、その結果を表１０示す。
【００９７】
（比較例７）
市販のマスク（商品名：ＳＫＩＩサインズデュアルトリートメントマスク、プロクター・アンド・ギャンブル・ジャパン株式会社製）を用い、引き上げ感及び使用性の評価、ならびに引き上げ効果の測定を行い、その結果を表１１に示す。
【００９８】
【表５】
2010259621.tif 000007
【００９９】
【表６】
2010259621.tif 000008
【０１００】
【表７】
2010259621.tif 000009
【０１０１】
【表８】
2010259621.tif 000010
【０１０２】
【表９】
2010259621.tif 000011
【０１０３】
【表１０】
2010259621.tif 000012
【０１０４】
【表１１】
2010259621.tif 000013
【０１０５】
表５〜９の結果のとおり、伸縮性を有するシート状基材からなり、第一の耳掛け部、第二の耳掛け部及び切込み部を設けた実施例１〜３０の美容用マスクは、いずれも引き上げ感及び使用性が良好（評価「○」以上）であった。一方、表１０の結果のとおり、伸縮力が０．２５ｃｍ又は０．２０ｃｍのシート状基材を用いた比較例１〜３は、引き上げ感及び使用性の評価が共に「△」であった。このことから、美容用マスクは、シート状基材がポリエステルを含むことで伸縮性を発揮し、良好な引き上げ感と使用性を得られることが判った。
【０１０６】
また、切込み部を設けなかった比較例４は、引き上げ感の評価が「△」であり、使用性の評価が「×」であった。第二の耳掛け部を設けなかった比較例５及び第一の耳掛け部を設けなかった比較例６は、引き上げ感の評価が「×」であり、使用性の評価は「△」であった。このことから、美容用マスクは、第一の耳掛け部、第二の耳掛け部及び切込み部を設けることで、良好な引き上げ感と使用性が得られることが判った。
【０１０７】
実施例２、８〜１１の結果から、切込み部の角度αを１５〜４５°とすることで、使用性のさらなる向上が図れることが判った。
実施例２、１２〜１３と、実施例１４〜１７との比較において、第一の耳掛け部及び第二の耳掛け部を三角孔と延長切込み線との組み合わせとすることで、耳への負担を緩和し、耳の痛みを解消できることが判った。
顎先露出部を設けない実施例１５と、顎先露出部を設けた実施例１８〜２２との比較において、顎先露出部を適切に設けることで引き上げ感及び使用性の向上が図れることが判った。
皮膚化粧料を含浸しない実施例２０と、皮膚化粧料を含浸した実施例２３〜３０との比較において、皮膚化粧料を含浸した美容用マスクは、引き上げ感がさらに向上することが判った。
加えて、実施例３０と比較例７の比較において、本発明の美容用マスクは高い引き上げ効果と、良好な使用性を兼ね備えていることが判った。
【符号の説明】
【０１０８】
１０、１０ａ、１０ｂ、１０ｃ    美容用マスク
２０、２０ａ、２０ｂ、２０ｃ    第一の引張体
２２、２２ｃ、４２、４２ｃ    側端
３０、３０ａ、３０ｂ、３０ｃ    第一の耳掛け部
３１、５１    三角孔
３２、５２    頂点
３３、５３    延長切込み線
４０、４０ａ、４０ｂ、４０ｃ    第二の引張体
５０、５０ａ、５０ｂ、５０ｃ    第二の耳掛け部
６０    切込み部
７０    鼻露出部
７２    口露出部
７４    顎先露出部
【図１】
2010259621.tif 000014
【図２】
2010259621.tif 000015
【図３】
2010259621.tif 000016
【図４】
2010259621.tif 000017
【図５】
2010259621.tif 000018
【図６】
2010259621.tif 000019
【図７】
2010259621.tif 000020
【図８】
2010259621.tif 000021
【図９】
2010259621.tif 000022
【図１０】
2010259621.tif 000023